(57)【要約】    【課題】ハンズフリー型インターホン装置を小型化し、省スペース化を図る。    【解決手段】拡声スピーカ及びマイクを用いて通話ボタン５の押下操作により通話を開始、終話するハンズフリー型インターホン装置の上ケース４に、通話ボタン５を開閉自在に設け、通話ボタン５を開成した状態で操作可能とし、通話ボタン５を閉成した状態で操作不能とする、ハンズフリー型インターホン装置の動作モード、機能等の設定を行なう設定スイッチが配置されている。【選択図】図２
2005045704.tif 000002
【特許請求の範囲】
【請求項１】
拡声スピーカ（２２）及びマイク（２３）を用いて通話ボタン（５）の押下操作により通話を開始、終話するハンズフリー型インターホン装置の上ケース（４）に、前記通話ボタンを開閉自在に設け、
前記通話ボタンを開成した状態で操作可能とし、前記通話ボタンを閉成した状態で操作不能とする前記ハンズフリー型インターホン装置の動作モード、機能等の設定を行なう設定スイッチ（８ａ、８ｂ）を配置したことを特徴とするインターホンボタン構造。
【請求項２】
前記通話ボタンを開成した状態で露出させ、前記通話ボタンを閉成した状態で隠蔽するように前記上ケースを下ケース（３）に取付ける施工ビス（９ａ、９ｂ）を配置したことを特徴とする請求項１記載のインターホンボタン構造。
【請求項３】
前記通話ボタンを押下した時に、前記設定スイッチを作動するための設定スイッチ押圧片（４４３ａ、４４３ｂ）を前記通話ボタンに当接しない位置に配置したことを特徴とする請求項１又は請求項２記載のインターホンボタン構造。
【請求項４】
前記通話ボタンに、前記上ケースに設けられた内側枢着受（４１３ａ、４１３ｂ）及び外側枢着受（４４４ａ、４４４ｂ）間に同心円状に挟持され、前記通話ボタンを枢着中心軸線（２ｂ）の周りに回動する枢着部（５４ａ、５４ｂ）を備えたことを特徴とする請求項１乃至請求項３何れか１項記載のインターホンボタン構造。
【請求項５】
前記通話ボタンを閉成した状態で前記通話ボタンを上に押し上げる前記上ケースの押上げ弾性片（４４１ａ、４４１ｂ）を備え、前記上ケースに設けられた通話ボタン閉成保持凸部（４３１ａ、４３１ｂ）と前記通話ボタンに設けられた通話ボタン閉成保持凹部（５３ａ、５３ｂ）とを前記押上げ弾性片の弾性に抗して係止させて前記通話ボタンの表面と前記上ケースの表面とを同一面に保持することを特徴とする請求項１乃至請求項４何れか１項記載のインターホンボタン構造。
【請求項６】
前記通話ボタンを開成する際に、前記通話ボタン閉成保持凸部が弾性変形し、前記通話ボタン閉成保持凸部と前記通話ボタン閉成保持凹部の係止が解除され、前記通話ボタンを開成した状態にすることを特徴とする請求項５記載のインターホンボタン構造。
【請求項７】
前記上ケースに、前記通話ボタンを閉成した状態で前記通話ボタンを押下操作したとき前記通話ボタンが前記枢着中心軸線の周りに回動されて基板（６）に実装された通話スイッチ（７）を作動する通話スイッチ押下弾性片（４４２ａ、４４２ｂ）を備えたことを特徴とする請求項１乃至請求項６何れか１項記載のインターホンボタン構造。
【請求項８】
前記通話ボタンを開成する際に、通話ボタン回動ストッパー（５４１ａ、５４１ｂ）と上ケース回動ストッパー受（Ｒａ、Ｒｂ）を設け、前記設定スイッチ及び前記施工ビスの少なくとも一方の操作において十分な角度まで前記通話ボタンが回動された時、回動ストッパー面（５４２ａ、５４２ｂ）が回動ストッパー受面（Ｒ１ａ、Ｒ１ｂ）に当接されて前記通話ボタンを開き過ぎて破損されること及び前記通話ボタンが前記上ケースより外れることを防止することを特徴とする請求項１乃至請求項７何れか１項記載のインターホンボタン構造。
【請求項９】
前記通話ボタンの開成状態において前記設定スイッチ及び前記施工ビスの少なくとも一方の操作が行い易いように、前記通話ボタンが回動されるのに伴って、前記外側枢着受により弾性変形し、前記回動ストッパーによって前記通話ボタンの回動がストップした時に、前記外側枢着受との摩擦力により、前記通話ボタンを開成状態に保持する弾性凸部（５４３ａ、５４３ｂ）を前記通話ボタンの枢着部の先端に設けたことを特徴とする請求項８記載のインターホンボタン構造。
【発明の詳細な説明】
【技術分野】
【０００１】
本発明はインターホンボタン構造に係り、特に通話ボタンを備えたハンズフリー型のインターホンボタン構造に関する。
【背景技術】
【０００２】
従来から、インターホンシステムを構成するインターホン親機は、次のようにして壁面に設置されている（例えば、特許文献１参照）。すなわち、まず、壁面にシャーシを取り付け、当該シャーシに第１の施工ビス（以下「下ケース施工ビス」という。）を介してインターホン親機を構成する下ケースを取り付ける。次いで、当該下ケースの前面に第２の施工ビス（以下「上ケース施工ビス」という。）を介してインターホン親機を構成する上ケースを取り付ける。ここで、上ケース施工ビスは、上ケースの下部の前面側から挿入されており、この上ケース施工ビスの前面には、これを覆い隠すための矩形状の蓋体が設けられている。
【０００３】
このように、従来のインターホン親機においては、上ケース施工ビスが蓋体で覆い隠されていることから、上下ケースを壁面から容易に取り外すことができないように構成されている。
【０００４】
ところで、このような構成のインターホン親機をハンズフリー用として使用するためには、上ケースの下部に大きな通話ボタンを配置する必要がある。
【０００５】
しかしながら、従来のインターホン親機においては、上ケースの下部に矩形状の蓋体が設けられていることから、当該個所に通話ボタンを配置することができないという難点があった。このため、従来のインターホン親機をハンズフリー用として使用するためには、通話ボタンを上記の蓋体よりも下部位置に設けなければならないことになるが、この場合には、インターホン親機が全体的に大型化し、省スペース化を図ることができないという難点があった。
【０００６】
【特許文献１】登録実用新案公報（登録第３０３１８３４号）（段落番号「０００２」〜「０００４」、図２）
【発明の開示】
【発明が解決しようとする課題】
【０００７】
本発明は、このような難点を解決するためになされたもので、インターホン親機を構成する上ケースに通話ボタンを開閉自在に設けることで、インターホン親機を大型化することなく省スペース化を図り得るハンズフリー型インターホンを提供することを目的としている。
【課題を解決するための手段】
【０００８】
本発明の第１の態様であるインターホンボタン構造は、拡声スピーカ及びマイクを用いて通話ボタンの押下操作により通話を開始、終話するハンズフリー型インターホン装置の上ケースに、通話ボタンを開閉自在に設け、通話ボタンを開成した状態で操作可能とし、通話ボタンを閉成した状態で操作不能とするハンズフリー型インターホン装置の動作モード、機能等の設定を行なう設定スイッチを配置したものである。
【０００９】
また、本発明の第２の態様は、第１の態様であるインターホンボタン構造において、通話ボタンを開成した状態で露出させ、通話ボタンを閉成した状態で隠蔽するように上ケースを下ケースに取付ける施工ビスを配置したものである。
【００１０】
また、本発明の第３の態様は、第１の態様又は第２の態様であるインターホンボタン構造において、通話ボタンを押下した時に、設定スイッチを作動するための設定スイッチ押圧片を通話ボタンに当接しない位置に配置したものである。
【００１１】
また、本発明の第４の態様は、第１の態様乃至第３の態様の何れかであるインターホンボタン構造において、通話ボタンに、上ケースに設けられた内側枢着受及び外側枢着受間に同心円状に挟持され、通話ボタンを枢着中心軸線の周りに回動する枢着部を備えたものである。
【００１２】
また、本発明の第５の態様は、第１の態様乃至第４の態様の何れかであるインターホンボタン構造において、通話ボタンを閉成した状態で通話ボタンを上に押し上げる上ケースの押上げ弾性片を備え、上ケースに設けられた通話ボタン閉成保持凸部と通話ボタンに設けられた通話ボタン閉成保持凹部とを押上げ弾性片の弾性に抗して係止させて通話ボタンの表面と上ケースの表面とを同一面に保持するものである。
【００１３】
また、本発明の第６の態様は、第５の態様であるインターホンボタン構造において、通話ボタンを開成する際に、通話ボタン閉成保持凸部が弾性変形し、通話ボタン閉成保持凸部と通話ボタン閉成保持凹部の係止が解除され、通話ボタンを開成した状態にするものである。
【００１４】
また、本発明の第７の態様は、第１の態様乃至第６の態様の何れかであるインターホンボタン構造において、上ケースに、通話ボタンを閉成した状態で通話ボタンを押下操作したとき通話ボタンが枢着中心軸線の周りに回動されて基板に実装された通話スイッチを作動する通話スイッチ押下弾性片を備えたものである。
【００１５】
また、本発明の第８の態様は、第１の態様乃至第７の態様の何れかであるインターホンボタン構造において、通話ボタンを開成する際に、通話ボタン回動ストッパーと上ケース回動ストッパー受を設け、設定スイッチ及び施工ビスの少なくとも一方の操作において十分な角度まで通話ボタンが回動された時、回動ストッパー面が回動ストッパー受面に当接されて通話ボタンを開き過ぎて破損されること及び通話ボタンが上ケースより外れることを防止するものである。
【００１６】
また、本発明の第９の態様は、第８の態様であるインターホンボタン構造において、通話ボタンの開成状態において設定スイッチ及び施工ビスの少なくとも一方の操作が行い易いように、通話ボタンが回動されるのに伴って、外側枢着受により弾性変形し、回動ストッパーによって通話ボタンの回動がストップした時に、外側枢着受との摩擦力により、通話ボタンを開成状態に保持する弾性凸部を通話ボタンの枢着部の先端に設けたものである。
【発明の効果】
【００１７】
本発明の第１の態様乃至第９の態様のインターホンボタン構造によれば、インターホン親機を構成する上ケースに通話ボタンを開閉自在に設けることで、通話ボタンの内側に設定スイッチや上ケース施工ビスを配置することができ、ひいては、インターホン親機を大型化することなく省スペース化を図り得るハンズフリー型インターホンを提供することができる。また、上ケースに開閉自在に設けられる通話ボタンは、従来のインターホン親機における蓋体と同様に、上ケース施工ビスの頭部を覆い隠す機能を有することから、従来のインターホン親機と同様に、インターホン親機の取り外しを防止することができる。
【発明を実施するための最良の形態】
【００１８】
以下、本発明のインターホンボタン構造を適用した実施の形態例について、図面を参照して詳述する。ここで、図１は、本発明のインターホンボタン構造を適用したハンズフリー型インターホンのシステム構成図、図２は、図１に示すインターホン親機の斜視図、図３は、図２（ａ）のＡ―Ａ線断面図、図４は、図２（ａ）のＢ―Ｂ線断面図、図５は、図２（ａ）のＣ―Ｃ線断面図、図６は、図２（ａ）のＤ―Ｄ線断面図、図７は、図２（ａ）のＥ―Ｅ線断面図、図８は、図２（ａ）のＦ―Ｆ線断面図を示している。
【００１９】
図１において、本発明におけるハンズフリー型インターホンは、例えば住戸の玄関に設置され呼出機能、映像撮像機能、通話機能及び制御機能等を有するドアホン子機１と、住戸内に設置され呼出検知機能、映像出画機能、通話機能及び制御機能等を有するハンズフリー型インターホン装置としてのインターホン親機２とを備えており、ドアホン子機１とインターホン親機２とは、伝送路Ｌを介して接続されている。
【００２０】
ドアホン子機１は、来訪者を撮像するためのテレビカメラ１１と、呼出のための呼出ボタン１２と、通話のための子機スピーカ１３及び子機マイク１４とを備え、インターホン親機２は、ドアホン子機１のテレビカメラ１１で撮像された映像を出画するための液晶モニタ（ＬＣＤ）２１と、ドアホン子機１と通話するための拡声スピーカ２２及びマイク（以下「親機マイク」という。）２３と、後述する通話ボタン５とを備えている。
【００２１】
インターホン親機２は、図２に示すように、前面開放で略四角形状の下ケース３と、この下ケース３の前面を覆う上ケース４と、上ケース４の下部に設けられた通話ボタン５とを備えている。
【００２２】
また、上ケース４の背面側には、図３及び図４に示すように通話回路や映像回路等を実装した基板６が取付けられ、この基板６の前面側には、図６に示すように、通話スイッチ７や第１、第２の設定スイッチ８ａ、８ｂが離間して設けられている。
【００２３】
上ケース４は、下ケース３の上部および中央部の前面を覆う第１の上ケース４１と、第１の上ケース４１の下縁部に連接され下ケース３の下部の前面を覆う第２の上ケース４２とを備えている。ここで、第２の上ケース４２は、図７に示すように、第１の上ケース４１よりも下ケース３側に向かって凹んだ位置に配置され、この第２の上ケース４２の前面には後述する通話ボタン５が配置されている。また、第１の上ケース４１と第２の上ケース４２との連接部には、通話ボタン回動ストッパーＲａ、Ｒｂが設けられている。
【００２４】
第１の上ケース４１の上部には矩形状の窓部４１１が、中央部には放音孔４１２ａを有するスピーカ取付部４１２が、上部右側には収音孔４３３が設けられており、放音孔４１２ａの背面側には拡声スピーカ２２（図１）が、収音孔４３３の背面側には親機マイク２３（図１）が取付けられている。また、第１の上ケース４１の下縁部の両側には、図３から図５に示すように、一対の内側枢着受４１３ａ、４１３ｂが離間して設けられている。
【００２５】
第２の上ケース４２の側縁部には、図２及び図６に示すように、通話ボタン閉成保持凸部４３１ａ、４３１ｂが設けられている。また、第２の上ケース４２の前面の両側には、図２及び図６に示すように、第１、第２の押上げ弾性片４４１ａ、４４１ｂが、中央部には、第１、第２の通話スイッチ押下弾性片４４２ａ、４４２ｂがそれぞれ離間して設けられ、第１の押上げ弾性片４４１ａと第１の通話スイッチ押下弾性片４４２ａとの間には、第１、第２の設定スイッチ押下片４４３ａ、４４３ｂが離間して設けられている。さらに、第２の上ケース４２の上部には、図３に示すように、半円状の一対の外部枢着受け４４４ａ、４４４ｂが離間して設けられている。ここで、第１、第２の押上げ弾性片４４１ａ、４４１ｂの上部は、図６に示すように、後述する通話ボタン５を閉成した状態で通話ボタン５を上に押し上げるようにバネ力が付勢されている。また、第１、第２の通話スイッチ押下弾性片４４２ａ、４４２ｂの上部は、通話ボタン５を閉成した状態で通話ボタン５の下面に当接しており、バネ力が付勢されている。また、第１、第２の設定スイッチ押下片４４３ａ、４４３ｂの上部は、通話ボタン５を押下した時に、通話ボタン５の下面に当接しない位置に配置され、バネ力が付勢されている。なお、第１、第２の押上げ弾性片４４１ａ、４４１ｂ、第１、第２の通話スイッチ押下弾性片４４２ａ、４４２ｂおよび第１の設定スイッチ押下片４４３ａは、例えば第２の上ケース４２の一部にＵ字状のスリットを形成し、これによって第２の上ケース４２から切離されたＵ字状部の先端部分を第２の上ケース４２の前面に向けて若干立ち上がらせたもので構成され、第２の設定スイッチ押下片４４３ｂは、第１の設定スイッチ押下片４４３ａと同様にして形成したＵ字状部の先端部分を第２の上ケース４２の背面に向けて若干押し下げたもので構成されている。
【００２６】
通話ボタン５は、図２及び図３に示すように、第２の上ケース４２の前面を覆うに必要な矩形状の平板部材５１と、平板部材５１の両縁側及び下縁側に基板６に向けて連設されたフランジ５２ａ、５２ｂ、５２ｃとを備えており、一対のフランジ５２ａ、５２ｂの通話ボタン閉成保持凸部４３１ａ、４３１ｂ（図６）と対向する面には、図６に示すように、通話ボタン閉成保持凹部５３ａ、５３ｂが形成されている。また、平板部材５１の上縁両側には、図２から図５に示すように、内側枢着受４１３ａ、４１３ｂ（図３）及び外側枢着受外部枢着受け４４４ａ、４４４ｂ（図３）間に同心円状に挟持される半円状の一対の枢着部５４ａ、５４ｂが離間して設けられており、各枢着部５４ａ、５４ｂの側面には、図７に示すように、通話ボタン回動ストッパー５４１ａ、５４１ｂが、外周面の一部には弾性凸部５４３ａ、５４３ｂがそれぞれ設けられている。
【００２７】
次に、このように構成された本発明におけるインターホン親機の組立方法について説明する。
【００２８】
図２において、先ず、下ケース３を下ケース施工ビス（不図示）を介して壁面（不図示）に取付ける。次いで、上ケース４に上ケース４の前面側からパネルＰ（図２）を取付けた後、これを裏返して上ケース４の背面に液晶モニタ２１（図１）および基板６（図３）を取付ける。次に、下ケース３の前面を上ケース４で覆うと共に、第２の上ケース４２の前面に通話ボタン５を次のようにして開閉自在に取付ける。すなわち、上ケース４に設けられた内側枢着受４１３ａ、４１３ｂ（図３）及び外側枢着受４４４ａ、４４４ｂ（図３）間に通話ボタン５に設けられた枢着部５４ａ、５４ｂ（図２）が同心円状に挟持され、通話ボタン５が枢着中心軸線２ｂの周りに回動するように取り付ける。
【００２９】
次いで、第１、第２の上ケース施工ビス９ａ、９ｂをそれぞれ予め第２の上ケース４２の下部に離間して設けられた一対の透孔Ｈａ、Ｈｂに挿入し、その先端部をそれぞれ下ケース３の第１、第２のビス受部（図示せず）に螺着する。これにより、下ケース３および上ケース４が一体化される。
【００３０】
このように構成された本発明のインターホンボタン構造によれば、インターホン親機２の上ケース４に通話ボタン５が開閉自在に設けられていることから、通話ボタン５を開成した状態で下ケース３および上ケース４を一体化する第１、第２の上ケース施工ビス９ａ、９ｂを取付けることができると共に、通話ボタン５の閉成により、第１、第２の上ケース施工ビス９ａ、９ｂを隠蔽することができる。また、通話ボタン５を開成した状態で第１、第２の設定スイッチ押下片４４３ａ、４４３ｂを押下操作することができることから、通話ボタン５を開成した状態でハンズフリー型インターホン装置の動作モード、機能等の設定を行なうことができる。
【００３１】
次に、本発明のインターホンボタン構造の付加機能について説明する。
【００３２】
第１に、設定スイッチ８ａ、８ｂを作動するための第１、第２の設定スイッチ押圧片４４３ａ、４４３ｂの上部が第１、第２の通話スイッチ押下弾性片４４２ａ、４４２ｂの上部よりも通話ボタン５に対して低い位置に存在することから、すなわち通話ボタン５を押下した時に第１、第２の設定スイッチ押圧片４４３ａ、４４３ｂが通話ボタン５に当接しない位置に配置されていることから、通話ボタン５の押下操作により、通話スイッチ７のみを作動させることができる。
【００３３】
第２に、通話ボタン５に設けられた枢着部５４ａ、５４ｂを、上ケース４に設けられた内側枢着受４１３ａ、４１３ｂ及び外側枢着受４４４ａ、４４４ｂ間に同心円状に挟持することができることから、通話ボタン５を枢着中心軸線２ｂの周りに回動させることができ、通話ボタン５を必要に応じて適宜開成・閉成することができる。
【００３４】
第３に、上ケース４に押上げ弾性片４４１ａ、４４１ｂが設けられていることから、通話ボタン５を閉成した状態で通話ボタン５を上に押し上げることができ、また、上ケース４に通話ボタン閉成保持凸部４３１ａ、４３１ｂが、通話ボタン５に通話ボタン閉成保持凹部５３ａ、５３ｂが設けられていることから、押上げ弾性片４４１ａ、４４１ｂの弾性に抗して係止させて通話ボタン５の表面と上ケース４の表面とを同一面に保持することができる。
【００３５】
第４に、通話ボタン５を開成する際に、通話ボタン閉成保持凸部４３１ａ、４３１ｂが弾性変形することから、通話ボタン閉成保持凸部４３１ａ、４３１ｂと通話ボタン閉成保持凹部５３ａ、５３ｂの係止が解除され、通話ボタン５を開成した状態にすることができる。
【００３６】
第５に、上ケース４に通話スイッチ押下弾性片４４２ａ、４４２ｂを備えていることから、通話ボタン５を閉成した状態で通話ボタン５を押下操作すると、通話ボタン５が枢着中心軸線２ｂの周りに回動されて基板６に実装された通話スイッチ７を作動させることができる。
【００３７】
第６に、通話ボタン５に通話ボタン回動ストッパー５４１ａ、５４１ｂが、上ケース４に上ケース回動ストッパー受Ｒａ、Ｒｂが設けられていることから、通話ボタン５を開成する際に、第１、第２の設定スイッチ８ａ、８ｂや第１、第２の上ケース施工ビス９ａ、９ｂの少なくとも一方の操作において、図７に示すように、十分な角度まで通話ボタン５が回動されると、回動ストッパー面５４２ａ、５４２ｂが回動ストッパー受面Ｒ１ａ、Ｒ１ｂに当接されて、通話ボタン５が開き過ぎて当該通話ボタン５が破損されることや通話ボタン５が上ケース４より外れることを防止することができる。
【００３８】
第７に、通話ボタン５の枢着部５４ａ、５４ｂの先端に弾性凸部５４３ａ、５４３ｂが設けられていることから、図８に示すように、通話ボタン５の開成状態において、設定スイッチ８ａ、８ｂや第１、第２の上ケース施工ビス９ａ、９ｂの少なくとも一方の操作が行い易いように、通話ボタン５が回動されるのに伴って、外側枢着受４４４ａ、４４４ｂにより弾性変形し、回動ストッパー５４１ａ、５４１ｂによって通話ボタン５の回動がストップした時に、外側枢着受４４４ａ、４４４ｂとの摩擦力により、通話ボタン５を開成状態に保持することができる。
【産業上の利用可能性】
【００３９】
なお、本発明のインターホンボタン構造における好ましい実施の形態例においては、上ケースに通話ボタン５を取り付け、これを開成した状態で上ケース施工ビスにより下ケース３および上ケース４を一体化しているが、上ケース施工ビスにより下ケース３および上ケース４を一体化した後に上ケースに通話ボタンを開閉自在に取付けても同様の効果を得ることができる。
【図面の簡単な説明】
【００４０】
【図１】本発明のインターホンボタン構造を適用したハンズフリー型インターホンのシステム構成図。
【図２】図１に示すインターホン親機の斜視図で、（ａ）は通話ボタンを閉成した状態におけるインターホン親機の斜視図、（ｂ）は通話ボタンを開成した状態におけるインターホン親機の斜視図。
【図３】図２（ａ）のＡ−Ａ線断面図で、（ａ）は通話ボタンの閉成状態における断面図、（ｂ）は通話ボタンの押時における断面図。
【図４】図２（ａ）のＢ−Ｂ線断面図。
【図５】図２（ａ）のＣ−Ｃ線断面図。
【図６】図２（ａ）のＤ−Ｄ線断面図。
【図７】図２（ａ）のＥ−Ｅ線断面図で、（ａ）通話ボタン回動ストッパー構造の断面図、（ｂ）は通話ボタンの回動ストップ時における断面図。
【図８】図２（ａ）のＦ−Ｆ線断面図。
【符号の説明】
【００４１】
２２・・・・・拡声スピーカ
２３・・・・・マイク
４・・・・・上ケース
４１３ａ、４１３ｂ・・・・・内側枢着受
４３１ａ、４３１ｂ・・・・・通話ボタン閉成保持凸部
４４１ａ、４４１ｂ・・・・・押上げ弾性片
４４２ａ、４４２ｂ・・・・・通話スイッチ押下弾性片
４４３ａ、４４３ｂ・・・・・設定スイッチ押圧片
４４４ａ、４４４ｂ・・・・・外側枢着受
５・・・・・通話ボタン
５３ａ、５３ｂ・・・・・通話ボタン閉成保持凹部
５４ａ、５４ｂ・・・・・枢着部
５４１ａ、５４１ｂ・・・・・通話ボタン回動ストッパー
５４２ａ、５４２ｂ・・・・・回動ストッパー面
５４３ａ、５４３ｂ・・・・・弾性凸部
２ｂ・・・・・枢着中心軸線
Ｒａ、Ｒｂ・・・・・上ケース回動ストッパー受
Ｒ１ａ、Ｒ１ｂ・・・・・回動ストッパー受面
６・・・・・基板
７・・・・・通話スイッチ
８ａ、８ｂ・・・・・設定スイッチ
９ａ、９ｂ・・・・・施工ビス（第１、第２の上ケース施工ビス）
【図１】
2005045704.tif 000003
【図２】
2005045704.tif 000004
【図３】
2005045704.tif 000005
【図４】
2005045704.tif 000006
【図５】
2005045704.tif 000007
【図６】
2005045704.tif 000008
【図７】
2005045704.tif 000009
【図８】
2005045704.tif 000010